(57)【要約】【課題】賞球払出装置の本体ケース内に侵入した異物によって動作不良を起こしにくい賞球払出装置を備えるパチンコ機を提供する。【解決手段】遊技球を賞球として払出す賞球払出装置を備えるパチンコ機において、賞球払出装置が、外周側にギア部を有する回転板（９０）と、前記ギア部に噛合するピニオンと、ピニオンを一方向へ回転駆動するモータと、モータを支持する本体ケースとを備え、前記本体ケースに、前記回転板を起立姿勢で回転自在に収容する円形の開口部と、開口部に交差するように上下方向へ延びて球通路（６２）を画成するガイド壁（１４１等）とが設けられ、前記開口部の内周面と前記回転板の外周面との間に確保される隙間のうち、前記球通路の上流側から露呈する部分（第１隙間Ｓ１）だけが他の部分（第２隙間Ｓ２）に対して幅狭な狭小部となっている。【選択図】図１５
2015093117.tif 000002
【特許請求の範囲】
【請求項１】
遊技領域を有する遊技盤の背面側に賞球払出装置が配設され、この賞球払出装置によって遊技球が賞球として払出されるパチンコ機において、
前記賞球払出装置が、外周側にギア部を有する回転板と、前記ギア部に噛合するピニオンと、このピニオンを一方向へ回転駆動するモータと、このモータを支持する本体ケースとを備え
前記本体ケースに、前記回転板を起立姿勢で回転自在に収容する円形の開口部と、この開口部に交差するように上下方向へ延びて球通路を画成するガイド壁とが設けられており、前記開口部の内周面と前記回転板の外周面との間に確保される隙間のうち、前記球通路の上流側から露呈する部分だけが他の部分に対して幅狭な狭小部となっている
ことを特徴とするパチンコ機。
【請求項２】
請求項１の記載において、
前記本体ケースに前記球通路と並走する球抜き通路を画成する規制壁が設けられており、前記開口部の内周面のうち前記球抜き通路の下流側と交差する部分を切欠いて異物排出口を形成すると共に、この異物排出口に連通する前記本体ケースの内壁面にリブを突設し、このリブを前記球抜き通路に露呈する前記回転板の板面と同じ高さに設定した
ことを特徴とするパチンコ機。
【請求項３】
請求項１または請求項２の記載において、
前記ピニオンは、前記狭小部の近傍であって、当該狭小部から見て前記回転板の回転方向の上流側に配置されている
ことを特徴とするパチンコ機。
【発明の詳細な説明】
【技術分野】
【０００１】
本発明は、遊技場に設置して使用されるパチンコ機に関し、特に、遊技場の島設備から供給される遊技球を遊技者に対して賞球として払出す賞球払出装置を備えたパチンコ機に関する。
【背景技術】
【０００２】
一般に、パチンコ機の前面側には遊技領域を有する遊技盤が設けられており、この遊技盤の背面側に、遊技場の島設備から供給される遊技球を賞球としてパチンコ機の前面側に設けられた受皿に払出す賞球払出装置が設けられている。
【０００３】
この賞球払出装置は、外周にギアを有する回転板（所謂スプロケット）と、ギアに噛合するピニオンと、ピニオンを一方向へ回転駆動するモータと、このモータを支持する本体ケース等によって主に構成されており、遊技場の島設備から供給されて本体ケース内に導入された遊技球を回転板の回転駆動により、受皿に払い出すようになっている。
【０００４】
ところで、遊技場の島設備から供給される遊技球には糸くず等の異物が付着している場合があり、このような遊技球が本体ケースへと導かれると、遊技球に付着した異物が本体ケース内で剥がれ落ちる虞がある。その場合、落下した異物が回転板とピニオンとの間に挟まりやすくなるため、モータの回転に要するトルクが増大して賞球払出装置の動作不良を引き起こす原因となる。そこで、このような動作不良を解消するために、従来から、異物を除去するための工夫を施した賞球払出装置を具備するパチンコ機が提案されている。
【０００５】
特許文献１の記載によると、賞球払出装置の本体ケース内に蛇行通路が設けられ、この蛇行通路の下流側にパチンコ球を払い出す球払出部材（回転板）が配置されている。この蛇行通路には異物を排除するための切欠き部が設けられており、蛇行通路内に侵入した異物を切欠き部に落下させて蛇行通路外へ排出するようになっている。このように、特許文献１に記載のパチンコ機は、球払出部材の上流側に設けた切欠き部によって異物を自由落下させて排出することにより、賞球払出装置の動作不良を解消している。
【先行技術文献】
【特許文献】
【０００６】
【特許文献１】特開２００７−６９８９号公報
【発明の概要】
【発明が解決しようとする課題】
【０００７】
しかし、特許文献１に記載のパチンコ機では、遊技球に付着した異物を蛇行通路に形成した切欠き部から確実に排出させることは困難であり、例えば、遊技球が切欠き部を通過する際に、その遊技球に付着した異物が切欠き部から離れた位置にあると、切欠き部によって異物を剥がれ落とすことができなくなる。その場合、異物は遊技球に付着したまま蛇行通路の下流側まで運ばれてしまうため、この下流位置で異物が回転板とピニオンとの間に挟まることにより、賞球払出装置の動作不良を引き起こすという問題があった。
【０００８】
本発明は、上記した従来技術の実情に鑑みてなされたものであり、その目的は、賞球払出装置の本体ケース内に侵入した異物によって動作不良を起こしにくい賞球払出装置を備えるパチンコ機を提供することにある。
【課題を解決するための手段】
【０００９】
上記目的を達成するために、本発明は、遊技領域を有する遊技盤の背面側に賞球払出装置が配設され、この賞球払出装置によって遊技球が賞球として払出されるパチンコ機において、前記賞球払出装置が、外周側にギア部を有する回転板と、前記ギア部に噛合するピニオンと、このピニオンを一方向へ回転駆動するモータと、このモータを支持する本体ケースとを備え、前記本体ケースに、前記回転板を起立姿勢で回転自在に収容する円形の開口部と、この開口部に交差するように上下方向へ延びて球通路を画成するガイド壁とが設けられており、前記開口部の内周面と前記回転板の外周面との間に確保される隙間のうち、前記球通路の上流側から露呈する部分だけが他の部分に対して幅狭な狭小部となっていることを特徴としている。
【００１０】
このように構成されたパチンコ機では、球通路を画成するガイド壁が開口部に交差するように上下方向へ延びて設けられており、この開口部に起立姿勢で回転板が収容されていることから、回転板の板面にガイドされながら球通路を遊技球が通過することになる。そして、開口部の内周面と回転板の外周面との間に隙間が確保されていることから、遊技球が球通路を通過する際には、球通路の上流側に露呈する隙間を最初に通過することとなる。ここで、本構成においては、球通路の上流側に露呈する隙間（以下、第１隙間と言う）を他の隙間よりも幅狭な狭小部としているため、遊技球に付着した異物が第１隙間内に侵入し難くなり、賞球払出装置の動作不良を解消することができる。
【００１１】
また、上記構成において、前記本体ケースに前記球通路と並走する球抜き通路を画成する規制壁が設けられており、前記開口部の内周面のうち前記球抜き通路の下流側と交差する部分を切欠いて異物排出口を形成すると共に、この異物排出口に連通する前記本体ケースの内壁面にリブを突設し、このリブを前記球抜き通路に露呈する前記回転板の板面と同じ高さに設定したことを特徴としている。
【００１２】
このように構成されたパチンコ機では、開口部の内周面のうち球抜き通路の下流側と交差する部分を切欠いて異物排出口としているので、第１隙間（狭小部）内に異物が侵入した場合や、球通路の下流側に露呈する隙間（以下、第２隙間と言う）内に異物が侵入した場合であっても、異物排出口により異物を自由落下させて排除することができるので、賞球払出装置の動作不良の発生を一層軽減することができる。
【００１３】
また、本構成によると、異物排出口に連通する本体ケースの内壁面にリブを突設し、このリブを球抜き通路に露呈する回転板の板面と同じ高さに設定しているため、球抜き通路から異物排出口に排出された遊技球をリブによりスムーズに流下させることができる。
【００１４】
また、上記構成において、前記ピニオンは、前記狭小部の近傍であって、当該狭小部から見て前記回転板の回転方向の上流側に配置されていると、万が一、第２隙間内に異物が侵入して回転板のギア部に付着したとしても、この異物はピニオンに至る手前側で狭小部（第１隙間）を横切ることになるため、狭小部の側方で遮られてピニオンに達することが阻止される。よって、賞球払出装置の動作不良の発生を一層軽減することができる。
【発明の効果】
【００１５】
本発明によれば、賞球払出装置のケース内に侵入した異物によって動作不良を起こしにくい賞球払出装置を備えるパチンコ機を提供することができる。
【図面の簡単な説明】
【００１６】
【図１】本発明の実施の形態例に係るパチンコ機の正面図である。
【図２】パチンコ機を正面側から見た斜視図である。
【図３】パチンコ機の背面図である。
【図４】パチンコ機を背面側から見た斜視図である。
【図５】図３のＡ−Ａ線に沿う断面図である。
【図６】パチンコ機に備えられる賞球払出装置を背面側から見た斜視図である。
【図７】賞球払出装置のカバー部材を開放した状態を示す斜視図である。
【図８】賞球払出装置のベース部材を開放した状態を示す斜視図である。
【図９】賞球払出装置の左側面図である。
【図１０】図９のＢ−Ｂ線に沿う断面図である。
【図１１】賞球払出装置を一方向から見た分解斜視図である。
【図１２】賞球払出装置を別方向から見た分解斜視図である。
【図１３】賞球払出装置の本体カバー内に収容されている回転板の収容状態を説明した図である。
【図１４】図１３の要部を拡大した図である。
【図１５】賞球払出装置の本体カバー内に画成された球通路と球抜き通路を説明した図である。
【発明を実施するための形態】
【００１７】
以下、本発明の実施の形態例について、図面を用いて説明する。図１〜図５に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板５が取り付けられている。
【００１８】
図２に示すように、機枠１の左側部上端から前方に突出した上軸受体６に、本体枠２の左側部上端に設けられた上軸（図示せず）が軸支されると共に、本体枠２の左側部下端から前方に突出した軸受体８に、機枠１の左側部下端に設けられた下軸（図示せず）が軸支されることにより、本体枠２は機枠１に対して開閉自在となっている。
【００１９】
また、本体枠２の左側部上端側に設けられた上軸受体９に、前面扉３の左側部上端に設けられた上軸（図示せず）が軸支されると共に、前面扉３の左側部下端に設けられた下軸受体（図示せず）に、本体枠２の軸受体８から上方に突出する下軸（図示せず）が軸支されることにより、前面扉３は本体枠２に対して開閉自在となっている。
【００２０】
本体枠２の上部内側に遊技盤２８が収容されており（図５参照）、この遊技盤２８の盤面は透明板５を透して目視可能となっている。図示はしないが、遊技盤２８はガイドレール等によって区画形成された遊技領域を有しており、遊技領域に演出表示装置や始動入賞口、一般入賞口、アタッカー装置、遊技釘、風車、アウト口等が設けられている。また、本体枠２の下部内側に遊技球を遊技領域に向けて発射する発射装置（図示せず）が設置されている。なお、始動入賞口や一般入賞口等に遊技球が入賞すると、後述する賞球払出装置６０は所定数の遊技球を賞球として上段受皿１８に払出すようになっている。
【００２１】
本体枠２の下部右側にシリンダ錠１１を有する施錠装置１２が設置されている。このシリンダ錠１１の鍵穴に図示せぬ鍵を差し込み、この鍵を一方向（例えば時計回り）へ回動すると、本体枠２が開錠されるようになっている。また、シリンダ錠１１の鍵穴に差し込んだ鍵を他方向（例えば反時計回り）へ回動すると、前面扉３が開錠されるようになっている。
【００２２】
図１に戻り、前面扉３の前面上部に一対のスピーカ１３が配設されており、スピーカ１３は遊技に関する様々な効果音を発する。また、前面扉３の上部にランプ役物１４や装飾レンズ１５が配置されており、ランプ役物１４および装飾レンズ１５は遊技の進行にあわせて点灯等するＬＥＤを内包する。前面扉３の上部右角に遊技の演出に用いられる回転灯ユニット１６が配置され、この回転灯ユニット１６の直下にはパチンコ機Ｐの機種の説明等に用いられるサイドパネル１７が設置されている。
【００２３】
また、前面扉３の前面下部に、遊技盤２８の背面に配設された賞球払出装置６０から払い出された遊技球を収容する上段受皿１８と、上段受皿１８から排出された遊技球を収容する下段受皿１９と、遊技者による操作が可能な演出用の操作ユニット２０と、が設けられており、下段受皿１９の右側には発射装置の発射強度を調整するためのハンドル２３が配設されている。
【００２４】
図２に示すように、操作ユニット２０は、押下操作可能に形成された円盤状の押しボタン２１と、この押しボタンの周りに設けられ回転操作可能に形成された円環状のジョグダイヤル２２と、を備えている。この操作ユニット２０の内部には、押しボタン２１が押下操作されたことを検出する押下検出部（図示せず）と、ジョグダイヤル２２が回転操作されたことを検出する回転検出部（図示せず）と、が設けられており、回転検出部は、ジョグダイヤル２２が１回転行われる間に複数回（例えば２４回）の検出信号を後述する副制御処理部２５に出力する構成となっている。
【００２５】
図３に示すように、パチンコ機Ｐの背面側に、遊技に関する主要な処理を行う主制御処理部２４と、主制御処理部２４からの指令を受けて各種装置を制御する副制御処理部２５と、副制御処理部２５やハーネス（図示せず）を覆うようにして、本体枠２の背面に開閉自在に取り付けられた裏カバー４０と、遊技場の島設備から供給される多数の遊技球を貯留可能な貯留タンク２６と、貯留タンク２６から排出された遊技球を一列に整列させて斜め下方へ誘導する樋状部材２７と、樋状部材２７から吐出された遊技球を上方から下方へ流下させる流下ケースユニット５０と、流下ケースユニット５０内を流下してきた遊技球を賞球として上段受皿１８に払出す賞球払出装置６０と、が設けられている。なお、主制御処理部２４はカバー部材（図示せず）によって覆われており、不正行為が行われないように封印されている。
【００２６】
また、本体枠２の背面下部に、主制御処理部２４からの指令を受けて賞球払出装置６０を制御する払出制御処理部３０と、ハンドル２３の回動操作量に応じて発射装置の作動を制御する発射制御処理部３１と、が設けられている。払出制御処理部３０および発射制御処理部３１はカバー部材（図示せず）によって覆われており、不正行為が行われないように封印されている。また、本体枠２の背面上部右側に、賞球数や大当たり回数等の各種情報を遊技場のホールコンピュータに出力する外部端子基板３２が設けられている。
【００２７】
図４に示すように、貯留タンク２６は、本体枠２の背面側の上部左側から上部中央にかけて設けられており、この貯留タンク２６は上面を開口した箱形状に形成されている。
【００２８】
樋状部材２７は、貯留タンク２６の内底面から流下ケースユニット５０の上端に向かって延設されている。樋状部材２７には貯留タンク２６から流下ケースユニット５０に向かって下り勾配で傾斜する誘導通路（図示せず）が設けられており、この誘導通路の下流側端部には流下ケースユニット５０に通じる吐出口（図示せず）が設けられている。遊技球は、誘導通路によって吐出口まで誘導された後、吐出口から流下ケースユニット５０に排出される。
【００２９】
図４および図５に示すように、流下ケースユニット５０は、本体枠２の背面右側部から遊技盤２８の盤面に対して垂直となるように後方に突出して設置されており、縦長の箱型形状を成している。流下ケースユニット５０には、遊技球を通過させる蛇行通路５１が設けられており、その上端が樋状部材２７の吐出口に連結されており、下端が後述する賞球払出装置６０の球導入口６１に連結されている。なお、本実施形態例に係る裏カバー４０には係止片４１が設けられており、この係止爪４１が蛇行通路５１の外部に設けられた図示せぬ凹所に挿入されることにより、裏カバー４０が本体枠２の背面に閉鎖状態となる。
【００３０】
次に、賞球払出装置６０について図６〜１５を用いて詳しく説明する。図６〜図８に示すように、賞球払出装置６０は、外周側にギア部９１を有する回転板９０と、ギア部９１に噛合するピニオン１００と、ピニオン１００を一方向に回転駆動するモータ１１０と、これらを内包する本体ケース１３０と、本体ケース１３０に対して回転可能に支持された振分部材７０と、振分部材７０の回転移動を規制するロック部材８０と、を備えており、本体ケース１３０は流下ケースユニット５０の直下にネジ止め固定されている。本体ケース１３０は、カバー部材１４０とベース部材１６０が一体化されることにより形成され、ベース部材１６０が背面中心側となるように本体枠２の背面右側部から遊技盤２８の盤面に対して垂直に突出するように配置されている（図４参照）。
【００３１】
本体ケース１３０の上端部には、流下ケースユニット５０から排出された遊技球を導入する球導入口６１が設けられており、前述したように、球導入口６１は流下ケースユニット５０の蛇行通路５１の下端と連結されている。球導入口６１に導入された遊技球は、球通路６２を流下して本体ケース１３０の下端中央に設けられた第１球排出口６３から排出される。
【００３２】
また、本体ケース１３０の内部には、球通路６２に並走する球抜き通路６４が設けられており、球抜き通路６４を流下してきた遊技球は、本体ケース１３０の下端に設けられた第２球排出口６５から排出される（図１４参照）。詳細については後述するが、常態では、前記ロック部材８０が前記振分部材７０の回転移動を規制する状態にあることから、球導入口６１に導入された遊技球は球通路６２を通過するようになっている。一方、作業者によってパチンコ機の機種を変更等する作業が行われる場合では、前記ロック部材８０が前記振分部材７０の回転移動を開放する状態にあることから、球導入口６１に導入された遊技球は球抜き通路６４を通過するようになっている。
【００３３】
まず、本体ケース１３０を構成するカバー部材１４０およびベース部材１６０について図１１と図１２を用いて説明する。なお、図１１は賞球払出装置６０をパチンコ機Ｐの背面側から見た分解斜視図であり、図１２は賞球払出装置６０をパチンコ機Ｐの正面側から見た分解斜視図である。このため、図１１と図１２では前後左右方向において逆となる。そこで、図１１と図１２を説明するにあたり、パチンコ機Ｐを正面側から見た「左右方向」を「Ｘ１−Ｘ２」、「前後方向」を「Ｙ１−Ｙ２」として表す。
【００３４】
カバー部材１４０には、その内壁面からＸ２方向に突出する第１リブ１４１および第２リブ１４２と、第１リブ１４１の下端に接する第１開口部１４３と、第１開口部１４３の前方上側に交差する第２開口部１４６と、が設けられている。
【００３５】
第１リブ１４１はカバー部材１４０の上端中央から第１開口部１４３の上端まで蛇行しながら上下方向に延びており、第２リブ１４２は、カバー部材１４０の上端から後述する孔１５１の近傍まで延びて途切れ、孔１５１の下方から再び下方向に延びている。第１リブ１４１と第２リブ１４２は、前記した球通路６２または球抜き通路６４の一部を画成するためのものである。
【００３６】
第１開口部１４３は、回転板９０を起立した状態で回転自在に収容するためのものであって、カバー部材１４０の内壁面を底部とする円形状の凹部である。第１開口部１４３の内周面１４３ａの上部には下方向に突出した円弧状の凸部１５２が設けられており（図１３等参照）、第１開口部１４３の中央部にはＸ２方向に突出するピン１４４が設けられている。ピン１４４は回転板９０を回転可能に支持するための支軸であり、このピン１４４の中央部には穴１４４ａが設けられている。なお、第１開口部１４３に回転板９０が収容されると、回転板９０と第１開口部１４３の間に隙間が露呈するが、これは、第１開口部１４３内で回転板９０を回転自在とするために必要な隙間である。
【００３７】
第２開口部１４６は、ピニオン１００を起立した状態で回転自在に収容するものであって、カバー部材１４０の内壁面を底部とする円形状の凹部である。第２開口部１４６は、第１開口部１４３に比べて小さい開口部であって、第１開口部１４３の上側と繋がっている。
【００３８】
また、カバー部材１４０には、第１開口部１４３の内周面１４３ａの下部を切欠いて形成される異物排出口１４８が設けられると共に、この異物排出口１４８に連通するカバー部材１４０の内壁面からＸ２方向に突出する球規制リブ１４９が設けられている。異物排出口１４８は、第１開口部１４３内に侵入した糸くず等の異物を自由落下させてパチンコ機Ｐの外部に排出させるためのものであり、球規制リブ１４９は球抜き通路６４から異物排出口１４８に排出された遊技球をスムーズに流下させるものである。なお、本実施形態例の球規制リブ１４９が本発明の「リブ」に相当する。
【００３９】
さらに、カバー部材１４０の上部には上下方向に延びるガイド溝１５０が設けられている。ガイド溝１５０は前記ロック部材７０を上下方向にスライド可能とするためのものである。
【００４０】
図１２に示すように、ベース部材１６０には、その内壁面からＸ１方向に突出した第１ガイド壁１６１、第２ガイド壁１６２および後側壁１６５と、第１ガイド壁１６１と第２ガイド壁１６２の間の当該内壁面からＸ１方向に突出する分岐壁１６３と、が設けられている。
【００４１】
第１ガイド壁１６１はベース部材１６０の上端中央から下端中央の手前まで蛇行しながら上下方向に延びており、第２ガイド壁１６２はベース部材１６０の上端から後側壁１６５の中央部まで蛇行しながら延びている。第１ガイド壁１６１と第２ガイド壁１６２は、前記した球通路６２または球抜き通路６４の一部を画成するためのものである。
【００４２】
分岐壁１６３は、第１ガイド壁１６１の内壁面側と対向する分岐壁１６３ａと、後側壁１６５の内壁面側と対向する分岐壁１６３ｂと、を有しており、前記した球通路６２および球抜き通路６４の一部を画成するためのものである。詳しくは後述するが、前記ロック部材７０によって前記振分部材８０の回転移動が規制されている状態では、分岐壁１６３の上端に振分部材８０の下端が当接して、球通路６２の上流側に滞留する遊技球が球抜き通路６４に流入しないようになっている。
【００４３】
また、ベース部材１６０には、第１ガイド壁１６１と分岐壁１６３ａとの間における内壁面からＸ１方向に突出する軸部１６４が設けられており、ベース部材１６０の上部には上下方向に延びるガイド溝１６８が設けられている。軸部１６４は、前述したピン１４４と協働して回転板９０を軸支するためのものであり、その先端にはピン１４４の穴１４４ａに挿入される突起１６４ａが設けられている。また、ガイド溝１６８は前記ロック部材７０を上下方向にスライド可能とするためのものである。
【００４４】
ここで、図１５に示すように、カバー部材１４０とベース部材１６０とが一体化されると、カバー部材１４０の第１リブ１４１および第２リブ１４２の上部、ベース部材１６０の第１ガイド壁１６１および第２ガイド壁１６２の上部、分岐壁１６３ａ、カバー部材１４０およびベース部材１６０の内壁面によって、本体ケース１３０の内部に球通路６２が画成される。
【００４５】
また、カバー部材１４０とベース部材１６０とが一体化されると、カバー部材１４０の第２リブ１４２の下部、ベース部材１６０の第２ガイド壁１６２の下部、ベース部材１６０の後側壁１６５、分岐壁１６３ｂ、カバー部材１４０およびベース部材１６０の内壁面によって、本体ケース１３０の内部に球抜き通路６４が画成される。そして、本体カバー１３０内に収容される振分部材７０は球通路６２および球抜き通路６４の一部を構成する（詳しくは後述）。
【００４６】
なお、本実施形態例の第１リブ１４１、第２リブ１４２の上部、第１ガイド壁１６１、第２ガイド壁１６２の上部、分岐壁１６３ａ、カバー部材１４０およびベース部材１６０の内壁面が、本発明の「ガイド壁」に相当し、本実施形態例の第２リブ１４２の下部、第２ガイド壁１６２の下部、後側壁１６５、分岐壁１６３ｂ、カバー部材１４０およびベース部材１６０の内壁面が、本発明の「規制壁」に相当する。
【００４７】
図１１と図１２に戻り、回転板９０の板面９０ｃ中央部には、球通路６２の上流側にある遊技球を球通路６２の下流側に送る球送り部材９２が設けられている。この球送り部材９２は４つの突起９２ａを有しており、各突起９２ａは回転板９０の回転方向に９０度の等間隔を保って配置されている。この４つの突起９２ａによって回転板９０の板面９０ｃ中央部に１個の遊技球を保持可能な保持部９２ｂが４か所形成される。
【００４８】
また、回転板９０の中央部にＸ１−Ｘ２方向に貫通する孔９０ｂが設けられており、この孔９０ｂの一部にカバー部材１４０のピン１４４が挿入されると共に、ピン１４４の穴１４４ａに突起１６４ａを係合させた状態で孔９０ｂの他部に軸部１６４が挿入されることによって、回転板９０が起立姿勢で第１開口部１４３に回転可能に収容される（図１０参照）。このようにして回転板９０が第１開口部１４３に収容されると、回転板９０の板面９０ｃはカバー部材１４０の内壁面と同一平面上となる。
【００４９】
ピニオン１００の中央部にはＸ１−Ｘ２方向に貫通する孔１００ｂが設けられている。この孔１００ｂにモータ１１０の回転軸１１０ａが嵌合されることにより、ピニオン１００は第２開口部１４６内に起立姿勢で収容されると共に、ピニオン１００の歯部１００ａが回転板９０のギア部９１に噛合する。
【００５０】
ピニオン１００はモータ１１０の駆動により図１３の時計方向に回転し、このピニオン１００の回転駆動により回転板９０を同図の反時計方向に回転させる。賞球払出装置６０は、モータ１１０を駆動させて回転板９０を９０度回転させて、球通路６２の上流側にある１個の遊技球を保持部９２ｂに受け入れて保持した後に、回転板９０をさらに同方向へ９０度回転させて、この保持部９２ｂが保持する遊技球を落下させて球通路６２の下流側に送るようになっている。球通路６２の下流側に送られた遊技球は、第１球排出口６３を通過して上段受皿１９に賞球として払出される。
【００５１】
振分部材７０は、回転中心となる筒状の軸部７１と、軸部７１から下方へ突出する湾曲状の腕部７２と、を有しており、腕部７２の前面は球通路６２の一部を構成する湾曲面７２ａとなる。振分部材７０の軸部７１にベース部材１６０の軸１６９が挿入された後、この軸１６９の端部がカバー部材１４０の孔１５１に挿入されると、振分部材７０は本体ケース１３０内で軸部７１を中心として回転可能となる（図８参照）。
【００５２】
また、振分部材７０の腕部７２にはＹ２方向に突出する突起７２ｂが設けられており、この突起７２ｂが後述するロック部材８０の係止部８０ｃに対して係脱可能となっている。
【００５３】
ロック部材８０の下部には左右一対の縦長突起８０ａがそれぞれ設けられており、これら一対の縦長突起８０ａがカバー部材１４０のガイド溝１５０およびベース部材１６０のガイド溝１６８に挿入されることにより、ロック部材８０は本体ケース１３０に対して上下方向にスライド可能となる（図７および図８参照）。
【００５４】
また、ロック部材８０の中央部にはＹ２方向に突出する操作突起８０ｂが設けられると共に、ロック部材８０の下端には略正方形状に開口する係止部８０ｃが設けられている。操作突起８０ｂは、ロック部材８０を上下方向にスライド移動させやすくするために作業者が指で掴むためのものである。
【００５５】
ここで、図８、図１３および図１５に示すように、ロック部材８０がガイド溝１５０およびガイド溝１６８にガイドされて最下方位置（以下、ロック位置と言う）までスライド移動すると、振分部材７０の突起７２ｂがロック部材８０の係止部８０ｃに係止して、ロック部材８０が振分部材７０の回転移動を規制する。一方、図示は省略するが、ロック部材８０がガイド溝１５０およびガイド溝１６８にガイドされて最上方位置（以下、ロック解除位置と言う）までスライド移動すると、振分部材７０の突起７２ｂとロック部材８０の係止部８０ｃとの係止状態が解除されて、振分部材７０が本体ケース１３０内で回転可能となる。
【００５６】
常態では、ロック部材８０はロック位置に位置して振分部材７０の回転移動を規制している。この状態では、振分部材７０の下端が分岐壁１６３の上端に当接することにより、振分部材７０の湾曲面７２ａが球通路６２の一部を構成する。これにより、本体ケース１３０内に導入された遊技球は球通路６２を通過して第１球排出口６３から排出される。一方、作業者によってロック部材８０がロック位置からロック解除位置にスライド移動されると、球通路６２の上流側に滞留する遊技球の重みによって、振分部材７０が軸部７１を中心として図１５の反時計方向に回転移動し、振分部材７０の湾曲面７２ａが球抜き通路６４の一部を構成する。その結果、球通路６２の上流側に滞留する遊技球は球抜き通路６４に振り分けられて第２球排出口６５からパチンコ機Ｐの外部へ排出される。
【００５７】
図１３〜図１５に示すように、本体ケース１３０内に画成された球通路６２が第１開口部１４３に交差するように上下方向へ延び、この第１開口部１４３に回転板９０が起立姿勢で収容されることから、球通路６２および球抜き通路６４に回転板９０の板面９０ｃが露呈する。前述したように、第１開口部１４３の内周面１４３ａと回転板９０の外周面９０ａとの間に隙間が確保されていることから、遊技球が球通路６２を流下する際には、上流側に露呈する隙間（第１隙間Ｓ１）を通過した後に下流側に露呈する隙間（第２隙間Ｓ２）を通過することになる。そして、球導入口６１から導入される遊技球に糸くず等の異物が付着していると、遊技球に付着した異物が球通路６２を流下する途中で第１隙間Ｓ１または第２隙間Ｓ２内に侵入した後、回転板９０のギア部９１に付着したままピニオン１００まで運ばれる可能性がある。その場合、異物が回転板９０のギア部９１とピニオン１００の歯部１００ａの間に挟まって、モータ１１０の回転に要するトルクが増大し、賞球払出装置６０の動作不良を引き起こす原因となる。
【００５８】
そこで、本実施形態例のパチンコ機Ｐでは、球通路６２の上流側に露呈する第１隙間Ｓ１を球通路６２の下流側に露呈する第２隙間（その他の隙間）Ｓ２よりも幅狭な狭小部とすることにより、遊技球に付着した異物が第１隙間Ｓ１内に侵入し難くなり、賞球払出装置６０の動作不良を解消することができる。すなわち、第１隙間Ｓ１は遊技球が回転板９０を通過するときに最初に現れる隙間であるため、この第１隙間Ｓ１内に異物が侵入すると、そのまま下方に落下して回転板９０のギア部９１に付着して、ピニオン１００まで運ばれる可能性が高くなる。これに対し、第２隙間Ｓ２は遊技球が回転板９０を通過するときに第１隙間Ｓ１の後に現れる隙間であるため、この第２隙間Ｓ２内に異物が侵入したとしても、第１開口部１４３の内周面１４３ａ下部に落下して、回転板９０のギア部９１に付着する可能性は低くなる。本実施形態例のパチンコ機Ｐは、ピニオン１００まで異物が運ばれやすい第１隙間Ｓ１を狭小部とすることにより、賞球払出装置６０の動作不良を未然に防いでいる。
【００５９】
また、本実施形態例では、回転板９０が収容される第１開口部１４３の内周面１４３ａ上部に凸部１５２を設けることにより、第１隙間Ｓ１を第２隙間Ｓ２よりも幅狭な狭小部としているため、比較的単純な構造により賞球払出装置６０の動作不良を解消することができる。
【００６０】
なお、本実施形態例では、上述のように、第１開口部１４３の内周面１４３ａ上部に設けられた凸部１５２により第１隙間を狭小部と成しているが、これに限られず、例えば、回転板９０を軸支するための軸部１６４およびピン１４４を、本実施形態例の位置よりもやや上方に設けることにより、第１開口部１４３内に収容される回転板９０の配置位置を本実施形態例の収容位置よりもやや上方として、球通路６２の上流側に露呈する隙間（第１隙間Ｓ１）をその他の隙間（第２隙間Ｓ２）よりも幅狭な狭小部とするような構成であっても良い。
【００６１】
ここで、例えば、第１開口部１４３の内周面１４３ａと回転板９０の外周面９０ａとの間に確保される隙間を、すべて幅広な寸法とすると、精密な寸法管理が要求されないことから、賞球払出装置６０に対する製作費用を低く抑えることができる。しかし、前記隙間を幅広な寸法とすると、遊技球に付着した異物がこの隙間内に侵入しやすくなり、賞球払出装置６０の動作不良を解消することができない。その反対に、第１開口部１４３の内周面１４３ａと回転板９０の外周面９０ａとの間に確保される隙間を、すべて幅狭な狭小部とすることにより、異物侵入による賞球払出装置６０の動作不良を解消することも考えられる。しかし、すべての隙間を狭小部とするためには精密な寸法管理や厳密な組立精度が要求されるため、賞球払出装置６０に対する製作費用が増大したり作業効率が低下することになる。そこで、本実施形態例のパチンコ機Ｐでは、第１隙間Ｓ１のみをその他の隙間（第２隙間Ｓ２）よりも狭くすることにより、賞球払出装置６０の動作不良を解消し、かつ、賞球払出装置６０に対する製作費用を抑制すると共に作業効率の低下を防止することができる。
【００６２】
また、本実施形態例のパチンコ機Ｐは、第１開口部１４３の内周面１４３ａのうち球抜き通路６４の下流側と交差する部分を切欠いて異物排出口１４８としているので、第１隙間Ｓ１（狭小部）または第２隙間Ｓ２内に異物が侵入した場合であっても、異物排出口１４８により異物を自由落下させて排除することができ、それゆえ賞球払出装置６０の動作不良の発生を一層軽減することができる。
【００６３】
さらに、本実施形態例では、異物排出口１４８の下方に球規制リブ１４９を設け、球規制リブ１４９の高さを球抜き通路６４に露呈する回転板９０の板面９０ｃと同じ高さに設定しているため（球規制リブ１４９のＸ２方向に露呈する面と板面９０ｃとが同一平面となっているため）、球抜き通路６４から異物排出口１４８に排出された遊技球を球規制リブ１４９によりスムーズに流下させることができる。なお、異物排出口１４８は球抜き通路６４を利用して設けられているため、異物排出口１４８から自由落下した異物を第２排出口１４９からパチンコ機Ｐの外部へと排出させることができる。
【００６４】
なお、本実施形態例では、異物排出口１４８に連通するカバー部材１４０の内壁面に球規制リブ１４９を設けているが、これに限られず、ベース部材１６０の内壁面に球規制リブを設ける構成であっても良い。
【００６５】
また、図１３に示すように、本実施形態例のピニオン１００は、狭小部（第１隙間Ｓ１）の近傍であって、当該狭小部から見て回転板９０の回転方向の上流側に配置されているため、万が一、第２隙間Ｓ２内に異物が侵入して回転板９０のギア部９１に付着したとしても、この異物はピニオン１００に至る手前側で狭小部を横切ることになる。その結果、異物は狭小部の側方で遮られてピニオン１００に達することが阻止されるため、賞球払出装置６０の動作不良の発生を一層軽減することができる。
【００６６】
さらに、図１４に示すように、本実施形態例の狭小部（第１隙間Ｓ１）は第１開口部１４３の内周面１４３ａ上部に設けられた凸部１５２によりテーパー状に形成されていることから、狭小部の側方で隙間が徐々に狭くなる構造となっている。このため、狭小部の側方に異物が引っ掛かることを防止して、賞球払出装置６０の動作不良を防止することができる。
【００６７】
なお、本実施形態例では、回転板９０、ピニオン１００、モータ１１０および振分部材７０がすべて本体ケース１３０に内包された構成となっているが、これに限られず、例えば、モータ１１０等が本体ケース１３０から部分的に露出する構成であっても良い。
【符号の説明】
【００６８】
６０  賞球払出装置
６２  球通路
６４  球抜き通路
９０  回転板
９１  回転板のギア部（ギア部）
１００  ピニオン
１１０  モータ
１３０  本体ケース
１４１  第１リブ（ガイド壁）
１４２  第２リブの上部（ガイド壁）
１４２  第２リブの下部（規制壁）
１４３  第１開口部（開口部）
１４３ａ  第１開口部の内周面（開口部の内周面）
１４８  異物排出口
１４９  球規制リブ（リブ）
１６１  第１ガイド壁（ガイド壁）
１６２  第２ガイド壁の上部（ガイド壁）
１６２  第２ガイド壁の下部（規制壁）
１６３ａ  分岐壁（ガイド壁）
１６３ｂ  分岐壁（規制壁）
１６５  後側壁（規制壁）
第１隙間Ｓ１（狭小部）
第２隙間Ｓ２（その他の隙間）
【図１】
2015093117.tif 000003
【図２】
2015093117.tif 000004
【図３】
2015093117.tif 000005
【図４】
2015093117.tif 000006
【図５】
2015093117.tif 000007
【図６】
2015093117.tif 000008
【図７】
2015093117.tif 000009
【図８】
2015093117.tif 000010
【図９】
2015093117.tif 000011
【図１０】
2015093117.tif 000012
【図１１】
2015093117.tif 000013
【図１２】
2015093117.tif 000014
【図１３】
2015093117.tif 000015
【図１４】
2015093117.tif 000016
【図１５】
2015093117.tif 000017